(57)【要約】【課題】  本考案は、ピストル型のキー引抜き治具において、その本体水平部の前端部にキー把持部を挟持固定するためのレバーが、その回動操作に際し、錠前の前面との間に生じていた干渉を回避できるようにし、ひいては上記レバーを十分な長さに設定できるようにして、操作性の向上を図ることを課題とする。【解決手段】  ピストル型のキー引抜き治具の本体10において、本体水平部10ａの前端部10ｂに、キー11の把持部11ａを挟みつけるための挟持板８が設けられるとともに、同挟持板８を締め付けるためのボルト・ナット機構と締付け操作用ハンドル14Ａとが設けられ、同ハンドル14Ａのボス部14Ｂにはクラッチ機構が内蔵されることにより、ハンドル14Ａの空転戻しが可能になっている。【選択図】          図１
0003105284.tif 000002
【実用新案登録請求の範囲】
【請求項１】
握り部を備えるとともに引き金を枢着されたピストル型の本体において、上記引き金の回動操作により上記本体の水平部に沿いバネに抗して前方へ押し出し可能の錠前当接用棒状部材と、上記水平部の前端部に沿い前後に位置調整可能に設けられて上記前端部の側面との間にキー把持部を挟み付け可能の挟持板と、同挟持板を上記水平部の前端部側面へ向けて締め付け固定すべく同挟持板と上記水平部とに嵌挿されたボルト・ナット機構とを備え、同ボルト・ナット機構におけるボルト部材およびナット部材のいずれか一方に、回動締付け操作を行うためのレバーがクラッチ機構を介して回動位置を調整可能に装着されていることを特徴とする、キー引抜き治具。
【請求項２】
上記クラッチ機構が、上記ナット部材の外端部において同軸的に設けられたギア部と、同ギア部に係合すべく上記レバーのボス部内に形成された凹型ギアと、上記ギア部の中心線に沿い穿設された雌ねじ部に螺合して上記レバーのボス部を上記ギア部に対し所要のストローク範囲で拘束しうる取付けボルトと、同取付けボルトの頭部と上記凹型ギアとの間に装填されて同凹型ギアを上記ギア部への係合状態に維持しうるバネとを備えて構成されたことを特徴とする、請求項１に記載のキー引抜き治具。
【請求項３】
上記挟持板に上記キー把持部を上記本体水平部の前端部へ締付け固定するための上下一対の締付ボルトが螺合するとともに、上記キー把持部に形成されたキーホルダー連結用小孔に係合するための小ボルトが上記上下一対の締付ボルトの相互間の中央付近で上記挟持板に螺合していることを特徴とする、請求項１または２に記載のキー引抜き治具。
【請求項４】
上記握り部と上記本体の水平部との交叉部に、同水平部よりも下方へ張り出した本体交叉張出し部が形成されて、同本体交叉張出し部に、上記引き金の中間部が枢着されるとともに、同引き金の上端部に固着された横方向ピンが、上記棒状部材の基端部に形成された竪溝に係合していることを特徴とする、請求項１〜３のいずれか１つに記載のキー引抜き治具。
【考案の詳細な説明】
【技術分野】
【０００１】
本考案は、錠前のキー穴に挿通されたキーが、解錠操作に伴う局部的な変形などによって抜けなくなったときに、同キーの把持部を強く挟持して錠前から引き抜くための治具に関する。
【背景技術】
【０００２】
扉の錠前としては一般にシリンダー錠などが用いられており、その解錠操作の際にはキー穴にキーを挿入して回す操作が行われているが、キーの凹凸部が変形したりすると、キーが抜けなくなることがある。
このような場合、従来は、図６および図７に示すようなキー引抜き治具が用いられており、握り部１を備えるとともに引き金２を支軸３で枢着されたピストル型の本体10において、引き金２をバネ４に抗して回動操作することにより本体10の水平部10ａに沿い前方へ押されるようにした棒状部材５が設けられている。
すなわち、棒状部材５の基端部において下方へ開口するように形成された竪溝６に、引き金２の上端部から側方へ突設された横方向ピン７が係合しており、引き金２の回動操作に伴ってピン７により棒状部材５が前進駆動されるようになっている。
そして、本体水平部10ａの前端部10ｂには、竪溝状の歯型10ｃが形成されており、同歯型10ｃに係合しうる突縁８ａ（図７参照）を備えた挟持板８が、キー11の把持部11ａを挟持するようにして、ボルト部材９とナット部材12との螺合により前端部10ｂに締付け固定されるように構成されている。なお、ボルト部材９は本体水平部10ａの前端部10ｂに形成された窓穴13内を横切るように配設され、同ボルト部材９の窓穴13内における膨大部９ａを、棒状部材５は緩やかに貫通している。
また、ナット部材12の回動によるキー把持部11ａの締付け操作は、同ナット部材12の側面に突設されたレバー14により行われるようになっている。
【０００３】
上述のキー引き抜き治具の使用は、次のようにして行われる。
まず、ドアなどに取付けられた錠前の前面Ｌに棒状部材５の先端を当接させるようにしながら、キー穴に挿入されたまま抜けなくなっているキー11の把持部11ａを、本体水平部10ａの前端部10ｂと挟持板８との間に挟み込んで、レバー14の操作により締付け固定する作業が行われる。
ついで、引き金２を引くことにより、棒状部材５は本体水平部10ａの前端部10ｂに対し前進しようとするが、棒状部材５の先端は錠前の前面Ｌに当接しているので、相対的に本体水平部10ａが後退する方向に作動し、このようにしてキー11の引抜き作用が行われる。  
【０００４】
ところで、上述のキー引抜き治具では、キー把持部11ａを十分に挟持できるように挟持板８を前進させた状態でレバー14の回動操作を行うと、同レバー14が錠前前面Ｌに干渉するので、レバー14の長さを十分に長くすることができないという不具合がある。
そこで、レバー14の長さを短く設定すると、同レバー14の回動操作による挟持板８のキー把持部11ａに対する締付作用が十分に行われないことになる。
【特許文献１】実開平５−３７４６７号公報
【考案の開示】
【考案が解決しようとする課題】
【０００５】
本考案は、ピストル型のキー引抜き治具において、その本体水平部の前端部にキー把持部を挟持固定するためのレバーが、その回動操作に際し、錠前の前面との間に生じていた干渉を回避できるようにし、ひいては上記レバーを十分な長さに設定できるようにして、操作性の向上を図ることを課題とする。
【課題を解決するための手段】
【０００６】
前述の課題を解決するため、本考案のキー引抜き治具は、ピストル型のキー引抜き治具において、本体水平部の前端部にキー把持部を挟持固定する挟持板を締付け操作するためのレバーが十分な長さに設定されるように、同レバーの取付け部にクラッチ機構を設けて、同クラッチ機構の嵌脱操作により、上記レバーの締付け操作時の空転戻しを可能にし、これにより錠前の前面との干渉を回避できるようにしたことを主な特徴としている。
【０００７】
すなわち、本考案のキー引抜き治具は、握り部を備えるとともに引き金を枢着されたピストル型の本体において、上記引き金の回動操作により上記本体の水平部に沿いバネに抗して前方へ押し出し可能の錠前当接用棒状部材と、上記水平部の前端部に沿い前後に位置調整可能に設けられて上記前端部の側面との間にキー把持部を挟み付け可能の挟持板と、同挟持板を上記水平部の前端部側面へ向けて締め付け固定すべく同挟持板と上記水平部とに嵌挿されたボルト・ナット機構とを備え、同ボルト・ナット機構におけるボルト部材およびナット部材のいずれか一方に、回動締付け操作を行うためのレバーがクラッチ機構を介して回動位置を調整可能に装着されていることを特徴としている。
【０００８】
また、本考案のキー引抜き治具は、上記クラッチ機構が、上記ナット部材の外端部において同軸的に設けられたギア部と、同ギア部に係合すべく上記レバーのボス部内に形成された凹型ギアと、上記ギア部の中心線に沿い穿設された雌ねじ部に螺合して上記レバーのボス部を上記ギア部に対し所要のストローク範囲で拘束しうる取付けボルトと、同取付けボルトの頭部と上記凹型ギアとの間に装填されて同凹型ギアを上記ギア部への係合状態に維持しうるバネとを備えて構成されたことを特徴としている。
【０００９】
さらに、本考案のキー引抜き治具は、上記挟持板に上記キー把持部を上記本体水平部の前端部へ締付け固定するための上下一対の締付ボルトが螺合するとともに、上記キー把持部に形成されたキーホルダー連結用小孔に係合するための小ボルトが上記上下一対の締付ボルトの相互間の中央付近で上記挟持板に螺合していることを特徴としている。
【００１０】
また、本考案のキー引抜き治具は、上記握り部と上記本体の水平部との交叉部に、同水平部よりも下方へ張り出した本体交叉張出し部が形成されて、同本体交叉張出し部に、上記引き金の中間部が枢着されるとともに、同引き金の上端部に固着された横方向ピンが、上記棒状部材の基端部に形成された竪溝に係合していることを特徴としている。
【考案の効果】
【００１１】
本考案のキー引抜き治具では、ピストル型のキー引抜き治具を、錠前のキー穴に挿入されたまま抜き取れなくなっているキーに近づけて、上記治具の棒状部材の先端を錠前の前面に当接させながら、上記治具の本体水平部の前端部側面と挟持板との間にキー把持部を挟み付ける際に、上記挟持板を締め付けるボルト・ナット機構の締付け操作用レバーが、クラッチ機構の嵌脱により往復回動されて、錠前の前面との干渉を回避しながら適切に操作されるようになる。
このようにして、本体水平部の前端部側面と挟持板との間にキー把持部を締め付けた後、上記握り部を握りながら引き金を引くことにより、キーの引き抜き作用が行われる。
【００１２】
また、上記クラッチ機構が、上記締付け操作用レバーのボス部内に形成された凹型ギアと、上記ボルト・ナット機構におけるナット部材の外端部に設けられたギア部との係合を弾性的に行うバネを備えて構成されることにより、同バネを圧縮させたり解放したりして、上記クラッチ機構の嵌脱操作が簡便に行われるようになる。
【００１３】
さらに、上記挟持板に上記キー把持部を上記本体水平部の前端部へ締付け固定するための上下一対の締付ボルトが螺合するとともに、上記キー把持部に形成されたキーホルダー連結用小孔に係合するための小ボルトが上記上下一対の締付ボルトの相互間の中央付近で上記挟持板に螺合していると、上記キー把持部に対する上記挟持板の係合が一層的確に行われるようになる。
【００１４】
また、上記握り部と上記本体の水平部との交叉部に、同水平部よりも下方へ張り出した本体交叉張出し部が形成されて、同本体交叉張出し部に、上記引き金の中間部が枢着されるとともに、同引き金の上端部に固着された横方向ピンが、上記棒状部材の基端部に形成された竪溝に係合していると、上記引き金の操作により上記棒状部材が上記本体から張り出す量が著しく増加するようになり、これによりキー引抜き操作が一層適切に行われるようになる。
【考案を実施するための最良の形態】
【００１５】
ピストル型の本体に枢着される引き金の長さは、錠前に当接される棒状部材の押し出し力が増加するように、十分に長くされ、また本体水平部の前端部に沿い前後に調整可能に設けられて上記前端部側面との間にキー把持部を挟み付け可能の挟持板は、十分に長い締付け操作用レバーにより、クラッチ機構を介して、上記本体水平部へ向け締付け固定されるが、上記レバーは、上記クラッチ機構の嵌脱操作により錠前との干渉を的確に回避できるようになる。
【実施例】
【００１６】
図１は本考案の一実施例としてのキー引抜き治具について、その前端部の挟持板を取り外して示す側面図、図２は上記キー引抜き治具の前端部にキー把持部を挟着した状態を示す斜視図、図３は上記キー引抜き治具の要部を示す説明図、図４は上記キー引抜き治具におけるクラッチ機構を分解して示す説明図、図５は上記キー引抜き治具におけるレバーボス部の分解説明図である。
【００１７】
図１，２に示すように、本実施例の場合も、握り部１を備えるとともに引き金２を支軸３で枢着されたピストル型の本体10において、引き金２をバネ４に抗して回動操作することにより本体10の水平部10ａに沿い前方へ押し出されるようにした棒状部材５が設けられている。
【００１８】
すなわち、引き金２の上端部に固着され側方へ突設されたた横方向ピン７が、棒状部材５の基端部において下方へ開口するように形成された竪溝６に係合しており、引き金２の回動操作に伴ってピン７により棒状部材５が前進駆動されるようになっている。
【００１９】
そして、本体水平部10ａの前端部10ｂには、竪溝状の歯型10ｃが形成されており、同歯型10ｃに係合しうる突縁８ａ（図２参照）を備えた挟持板８が、キー11の把持部11ａを挟持するようにして、ボルト部材９とナット部材12との螺合により前端部10ｂに締付け固定されるように構成されている。なお、ボルト部材９は本体水平部10ａの前端部10ｂに形成された窓穴13内を横切るように配設され、同ボルト部材９の窓穴13内における膨大部９ａ（図３参照）を、棒状部材５は緩やかに貫通している。
【００２０】
上述のごとく、挟持板８の締付け操作はボルト部材９およびナット部材12からなるボルト・ナット機構により行われるが、ナット部材12の回動操作は、同ナット部材12の外端部にクラッチ機構Ｋを介して装着されたレバー14Ａにより行われるようになっている。
【００２１】
すなわち、図４および図５に示すように、クラッチ機構Ｋは、ナット部材12の外端部に同軸的に設けられたギア部15と、同ギア部15に係合できるようにレバー14Ａのボス部14Ｂ内に形成された凹型ギア16と、ギア部15の中心線に沿い穿設された雌ねじ部17に螺合してレバー14Ａのボス部14Ｂをギア部15に対し所要のストローク範囲で拘束しうる取付けボルト18と、同取付けボルト18の頭部と凹型ギア16との間に装填されて同凹型ギア16をギア部15への係合状態に維持しうる圧縮型のバネ19とを備えて構成されている。
【００２２】
また、本実施例では、図２に示すように、挟持板８に、キー把持部11ａを本体水平部の前端部10ｂへ締付け固定するための上下一対の締付けボルト20，21が螺合するとともに、キー把持部11ａに形成されたキーホルダー連結用小孔11ｂに係合するための小ボルト22が、上下一対の締付けボルト20，21の相互間の中央付近で、挟持板８に螺合している。
【００２３】
さらに、本実施例では、握り部１と本体水平部10ａとの交叉部に、本体水平部10ａよりも下方へ張り出した本体交叉張出し部10ｄが形成されて、同本体交叉張出し部10ｄに、引き金２の中間部が支軸３により枢着されている。
【００２４】
上述のピストル型のキー引抜き治具の使用に際しては、錠前のキー穴に挿入されたまま抜き取れなくなっているキー11に本治具を近づけて、棒状部材５の先端を錠前の前面Ｌに当接させながら、キー11の把持部11ａを、本体水平部10ａの前端部10ｂの側面と挟持板８との間に挟持して、レバー14Ａの回動により締付け固定する操作が行われる。
【００２５】
その際、締付け操作用レバー14Ａは、バネ19に抗して行われるクラッチ機構Ｋの嵌脱により往復回動が可能になり、これにより錠前の前面Ｌとの干渉を回避しながらレバー14Ａの操作を適切に行って、能率よくキー把持部11ａの挟持が行われるようになる。
そして、握り部１を握りながら引き金２を引くことにより、キー11の引抜き作用が行われる。すなわち、レバー14Ａのボス部14Ｂを少し持ち上げる操作によって、バネ19を圧縮させながら同レバー14Ａの空転戻しを容易に行うことができる。
【００２６】
また、クラッチ機構Ｋが、締付け操作用レバー14Ａのボス部14Ｂ内に形成された凹型ギア16と、ボルト・ナット機構（９，12）におけるナット部材12の外端部に設けられたギア部15との係合を弾性的に行うバネ19を備えて構成されることにより、同バネ19を圧縮させたり解放したりして、クラッチ機構Ｋの嵌脱操作が簡便に行われるようになる。
【００２７】
さらに、挟持板８にキー把持部11ａを本体水平部の前端部10ｂへ締付け固定するための上下一対の締付ボルト20，21が螺合するとともに、キー把持部11ａに形成されたキーホルダー連結用小孔11ｂに係合するための小ボルト22が上下一対の締付ボルト20，21の相互間の中央付近で挟持板８に螺合しているので、キー把持部11ａに対する挟持板８の係合が一層的確に行われるようになる。
【００２８】
また、握り部１と本体10の水平部10ａとの交叉部に、同水平部10ａよりも下方へ張り出した本体交叉張出し部10ｄが形成されて、同本体交叉張出し部10ｄに、引き金２の中間部が枢着されるとともに、同引き金２の上端部に固着された横方向ピンが、棒状部材５の基端部に形成された竪溝に係合しており、特に本体交叉張出し部10ｄの形成によって、棒状部材５の本体10からの張出し量が著しく増加するようになり、これによりキー引抜き操作が一層適切に行われるようになる。
【産業上の利用可能性】
【００２９】
本考案のキー引抜き治具は、本体水平部の前端部と本体水平部に沿って駆動される棒状部材との相対的な動きによってキーを引抜くものであるから、上記本体水平部の前端部に釘の頭部への係合部を設けることにより、釘の引抜きにも利用することができる。
【図面の簡単な説明】
【００３０】
【図１】本考案の一実施例としてのキー引抜き治具を挟持板取り外し状態で示す側面図である。
【図２】上記キー引抜き治具の前端部にキー把持部を挟着した状態を示す斜視図である。
【図３】上記キー引抜き治具の要部を示す説明図である。
【図４】上記キー引抜き治具におけるクラッチ機構を分解して示す説明図である。
【図５】上記キー引抜き治具におけるレバーボス部の分解説明図である。
【図６】従来の，キー引抜き治具について挟持板を取り外した状態を示す側面図である。
【図７】上記従来のキー引抜き治具の前端部に挟持部を装着して示す要部斜視図である。
【符号の説明】
【００３１】
１  握り部
２  引き金
３  支軸
４  バネ
５  棒状部材
６  溝穴
７  ピン
８  挟持板
８ａ  突縁
９  ボルト部材
９ａ  膨大部
10  本体
10ａ  本体水平部
10ｂ  前端部
10ｃ  歯型
11  キー
11ａ  キー把持部  
12  ナット部材
13  窓穴
14，14Ａ  レバー
14Ｂ  ボス部
15  ギア部
16  凹型ギア
17  雌ねじ部
18  取付けボルト
19  バネ
20，21  締付けボルト
22  小ボルト
【図１】
0003105284.tif 000003
【図２】
0003105284.tif 000004
【図３】
0003105284.tif 000005
【図４】
0003105284.tif 000006
【図５】
0003105284.tif 000007
【図６】
0003105284.tif 000008
【図７】
0003105284.tif 000009